(57)【要約】【課題】  従来、文字発生装置の文字編集制御はシリアル信号で、文字切換制御はパラレル信号で制御するシステムがあり、ネットワークを介しての遠隔制御は困難であった。  本発明は、ネットワークを介して文字発生装置を遠隔制御することを目的とする文字発生装置制御システムである。【解決手段】  本発明は、ネットワークと該ネットワークに結合された文字発生装置と、前記ネットワークを介して前記文字発生装置を制御して文字編集を行う操作端末とを備えることを特徴とする文字発生装置制御システムである。【選択図】  図１
2006047705.tif 000002
【特許請求の範囲】
【請求項１】
ネットワークと該ネットワークに結合された文字発生装置と、前記ネットワークを介して前記文字発生装置を制御して文字編集を行う操作端末とを備えることを特徴とする文字発生装置制御システム。
【請求項２】
ネットワークと該ネットワークに結合された文字発生装置と、前記ネットワークを介して前記文字発生装置に制御コマンドを伝送して文字編集を行う操作端末を備えることを特徴とする文字発生装置制御システム。
【発明の詳細な説明】
【技術分野】
【０００１】
本発明は、文字発生装置に係り、特にネットワークを介して文字発生装置の制御を行う文字発生装置制御システムに関するものである。
【背景技術】
【０００２】
従来、文字発生装置の文字編集制御はシリアル信号で、文字切換制御はパラレル信号で行うシステムがあった。この文字発生装置から出力される地名や場所等の文字信号を監視カメラから出力される映像信号に重畳してモニタに表示していた。
【０００３】
なお、上記とは異なる文字発生器を使用した例が特許文献１に開示されている。
【特許文献１】特開２００４−００７６７５号公報
【発明の開示】
【発明が解決しようとする課題】
【０００４】
前述の従来技術は、文字発生装置の文字編集制御にシリアル信号とパラレル信号を使用していたため、ネットワークを介しての遠隔制御は困難であった。
本発明は、ネットワークを介して文字発生装置を制御することを目的とする文字発生装置制御システムである。
【課題を解決するための手段】
【０００５】
本発明は、ネットワークと該ネットワークに結合された文字発生装置と、前記ネットワークを介して前記文字発生装置を制御して文字編集を行う操作端末とを備えることを特徴とする文字発生装置制御システムである。
【０００６】
また、ネットワークと該ネットワークに結合された文字発生装置と、前記ネットワークを介して前記文字発生装置に制御コマンドを伝送して文字編集を行う操作端末を備えることを特徴とする文字発生装置制御システムである。
【発明の効果】
【０００７】
本発明によれば、ネットワークを介して文字発生装置を制御することができるので、遠隔から容易に文字発生装置の文字編集をすることができる。
【発明を実施するための最良の形態】
【０００８】
以下、本発明による文字発生装置制御システムの一実施例について図１を用いて説明する。図１は本発明に一実施例を示す文字発生装置制御システムである。
図１において、１１０は文字発生装置であり、１０２はネットワークであり、１０１はネットワーク１０２を介して文字発生装置１１０を制御する操作端末部である。操作端末部１０１は例えばパーソナルコンピュータである。１０３はネットワークを介して入力されるＬＡＮ（Ｌｏｃａｌ  Ａｒｅａ  Ｎｅｔｗｏｒｋ）信号をシリアル信号に変換するＬＡＮ／シリアル変換部である。１０４はＬＡＮ／シリアル変換部１０３で変換されたシリアル信号を分配する分配部である。１０５は分配部１０４で分配されたシリアル信号をパラレル信号に変換するシリアル／パラレル変換部である。  １０６は文字編集時にシリアル信号を入力するためのシリアル信号入力部である。１０７は文字切換時にパラレル信号を入力するためのパラレル信号入力部である。１０９は文字信号を発生させる文字発生部である。１０８はシリアル信号入力部１０６とパラレル信号入力部１０７から出力される信号を入力して文字発生部１０９を制御するためのＣＰＵ（マイクロコンピュータ）である。１１１は文字発生部１０９から出力される文字信号を表示するモニタである。
【０００９】
次に本発明の文字発生装置制御システムの動作の一実施例について図１を用いて説明する。
オペレータは、文字発生装置１０１の文字編集と文字切換を行うため、操作端末部１０１を操作して操作端末部１０１で文字発生装置３０１を制御するため後述の制御コマンドをＬＡＮ信号に変換させる。ＬＡＮ信号に変換させた制御コマンドは、ネットワーク１０２を介して文字発生装置１１０に伝送される。文字発生装置１１０に伝送されたＬＡＮ信号（制御コマンド）は、ＬＡＮ／シリアル変換部１０３に入力され、ＬＡＮ／シリアル変換部１０３で例えばＲＳ−２３２Ｃのシリアル信号に変換され、分配部１０４で分配される。
【００１０】
分配部１０４で分配されたシリアル信号の一つはシリアル信号入力部１０６に入力され、シリアル信号入力部１０６で制御コマンド信号に変換され、ＣＰＵ１０８に入力される。ＣＰＵ１０８は入力された制御コマンド信号に従って文字発生部１０９を制御して文字編集を行う。
【００１１】
分配部１０４で分配されたシリアル信号のもう一つはシリアル／パラレル変換部１０５でパラレル信号に変換され、パラレル信号入力部１０７に入力され、パラレル信号入力部１０７で制御コマンド信号に変換され、ＣＰＵ１０８に入力される。ＣＰＵ１０９は入力された制御コマンド信号に従って文字発生部１０９を制御して文字切換を行う。
【００１２】
文字発生部１０９は文字信号を発生させ、モニタ１１１に文字を表示させる。
図２は本発明の伝送フォーマットを説明するための図である。
図２において、２０１は操作端末部１０１の送信元アドレスであり、２０２は文字発生装置１１０の送信先アドレスであり、２０３は文字発生部１０９を制御するための制御コマンドであり、２０４は文字発生部１０９を制御するためのパラメータのデータである。
【００１３】
本発明の伝送フォーマットの一実施例を説明する。
文字発生部１０９で文字編集をする場合は、操作端末部１０１で下記のコマンド２０３とパラメータのデータ２０４を伝送フォーマットに重畳させる。
【００１４】
コマンド＝“ＺＺ”
パラメータ  ＤＡＴＡ１，２＝（固有ベンダＩＤ：“ａｂｃｄ”）
ＤＡＴＡ３＝（コードＩＤ：“ＸＸ”）
ＤＡＴＡ４＝設定ＣＨ番号（“００”〜“ＦＦ”）
ＤＡＴＡ５＝コマンド分割番号（“０１”〜“ＦＦ”）
ＤＡＴＡ６＝全コマンド分割数（“０１”〜“ＦＦ”）
ＤＡＴＡ７，８＝ハフマン圧縮パターンのデータ長（バイト数）
ＤＡＴＡ９〜＝ハフマン圧縮パターン
文字発生部１０９で文字切換をする場合は、操作端末部１０１で下記のコマンド２０３とパラメータのデータ２０４を伝送フォーマットに重畳させる。
【００１５】
コマンド＝“ＺＺ”
パラメータ  ＤＡＴＡ１，２＝（固有ベンダＩＤ：“ａｂｃｄ”）
ＤＡＴＡ３＝（コードＩＤ：“ＹＹ”）
ＤＡＴＡ４＝表示ＣＨ番号（“００”〜“ＦＦ”）
本発明の文字発生装置制御システムを例えば監視システムに使用した場合は、監視センタや中継所または監視現場で、文字発生装置１１０から出力される地名や監視場所名の文字信号を図示していない合成装置で図示していない監視カメラ等から出力される映像信号に合成しても良い。
【００１６】
以上本発明について詳細に説明したが、本発明は、ここに記載された文字発生装置制御システムに限定されるものではなく、上記以外の文字発生装置制御システムに広く適用することができることは言うまでもない。
【図面の簡単な説明】
【００１７】
【図１】本発明の文字発生装置の制御システム図
【図２】伝送フォーマットを説明するための図
【符号の説明】
【００１８】
１０１：操作端末部、１０２：ネットワーク、１０３：ＬＡＮ／シリアル変換部、１０４：分配部、１０５：シリアル／パラレル変換部、１０６：シリアル信号入力部、１０７：パラレル信号入力部、１０８：ＣＰＵ、１０９：文字発生部、１１０：文字発生装置、１１１：モニタ、２０１：送信元アドレス、２０２：送信元アドレス、２０３：制御コマンド、２０４：データ。
【図１】
2006047705.tif 000003
【図２】
2006047705.tif 000004